(57)【特許請求の範囲】
【請求項１】
パイプ材の軸線を挟んで対向する位置に形成された二個一対のピン穴の一方に挿入することによって、対象物を該パイプ材に連結するためのロックピンであって、該ロックピンが本体部と該本体部よりも先端側の先端部とから形成され、前記先端部の一定長部分の外径が前記本体部よりも一定寸法小さく設定され、かつ前記先端部には、側方に出没自在な係止部材と、該係止部材を側方に向けて付勢する付勢部材とが備えられ、
前記係止部材が、前記本体部側のストッパ面と、前記先端部側の傾斜面とを有した構成とされ、前記係止部材が前記ロックピンから突出したときに、前記ストッパ面が前記ロックピンの軸線と略直交し、かつ前記傾斜面は前記ロックピンから側方への突出寸法が前記ロックピンの先端部側から本体部側に向けて漸次拡大する構成とされ、
前記ロックピンを前記パイプ材から引き抜くときに、内径が前記ロックピンの先端部の外径と略同径をなしていて前記ピン穴の他方に挿入可能な引き抜き具を、前記ロックピンの先端部にはめ込ませるように構成されていることを特徴とするパイプ用ロックピンの解除機構。
【請求項２】
請求項１記載のパイプ用ロックピンの解除機構において、前記引き抜き具の外径を前記ロックピンの本体部と略同径又は小径とし、前記引き抜き具の先端が前記先端部と前記本体部との間に形成される段部を押して前記ロックピンを押し出すように構成されていることを特徴とするパイプ用ロックピンの解除機構。
【発明の詳細な説明】
【０００１】
【発明の属する技術分野】
本発明は、例えば、仮設用の足場や構台あるいはトラス架構等をパイプ材で構成するときに用いて好適なパイプ用ロックピンの解除機構に関するものである。
【０００２】
【従来の技術】
従来、土木・建築作業を行うための仮設の足場や構台あるいはトラス架構（以下、単に「仮設足場等」と称する）等には、単管あるいはユニット化されたパイプ材が多用されている。
このようなパイプ材で仮設足場等を構成するには、ボルト・ナットを用いてパイプ材を所定形状に組み上げるのが一般的であるが、多数のボルトにいちいちナットをねじ込むのには手間がかかるうえ、作業中にナットを落としてしまうこともあることから、近年では、以下に示すような、ワンタッチで着脱可能なロックピンが開発されている。
【０００３】
図３に示すように、パイプ材１には、その軸線を挟んで対向する位置に二個一対のピン穴２、３が形成されている。そして、このパイプ材１に例えば板材４を固定するためのロックピン６は、ピン穴２、３の内径と略同じ外径を有しており、その側面には、係止部材７が備えられている。係止部材７は、その基端部が軸支されて先端部がロックピン６の外周面から外方に向けて出没自在とされており、これを外方に向けて付勢するスプリング等の付勢部材８を備えた構成となっている。
係止部材７は、その先端部に角部９が形成された断面視略三角形状をなしており、この係止部材７が突出した状態において、この角部９の一方の面が、ロックピン６の軸線と直交する面と略平行なストッパ面７ａ、他方の面が、ロックピン６からの離間寸法が先端部側から漸次大きくなる傾斜面７ｂとされている。
【０００４】
このようなロックピン６では、例えば板材４に形成されている穴５とパイプ材１のピン穴２とにロックピン６を挿入することによって板材４をパイプ材１に連結するようになっている。このとき、ロックピン６を板材４の穴５とパイプ材１のピン穴２とに挿入していくと、係止部材７が傾斜面７ｂによってロックピン６内に押し込まれる。そして、ロックピン６をさらに奥に挿入していくと、係止部材７が板材４の穴５とパイプ材１のピン穴２とを通過した後に、パイプ材１内で付勢部材８の付勢力によって外方に突出するようになっている。そして、この後は、係止部材７のストッパ面７ａがロックピン６の軸線と略直交しているので、このロックピン６を引き抜く方向の力に抗してロック状態を保持するようになっている。
【０００５】
また、他のロックピンの例として、図４に示すようなものもある。
この図に示すように、ロックピン１０は、ピン穴２、３の内径と略同じ外径を有しており、その側面には係止部材１１が備えられている。係止部材１１は、ロックピン１０の軸線方向と直交する方向に軸線を有し、かつ先端部１１ａが球面形状とされており、これを外方に向けて付勢するスプリング等の付勢部材１３が備えられた構成とされている。
【０００６】
このようなロックピン１０では、例えば板材４に形成されている穴５とパイプ材１のピン穴２とにロックピン１０を挿入することによって板材４をパイプ材１に連結するようになっている。このとき、ロックピン１０を板材４の穴５とパイプ材１のピン穴２とに挿入していくと、係止部材１１の先端部１１ａが球面形状とされているのでこれによって係止部材１１がロックピン１０内に押し込まれる。そして、ロックピン１０をさらに奥まで挿入すると、係止部材１１が板材４の穴５とパイプ材１のピン穴２とを通過した後に、パイプ材１内で付勢部材１３の付勢力によって外方に突出し、このロックピン１０を引き抜く方向の力に抗してロック状態を保持するようになっている。
【０００７】
【発明が解決しようとする課題】
しかしながら、上述したような従来のパイプ用ロックピンには、以下のような問題が存在する。
まず、図３に示したロックピン６では、係止部材７が突出した状態においてそのストッパ面７ａがロックピン６の軸線と略直交するようになっているので、ロックピン６を引く抜く方向の力に対しては抵抗力が大きい。しかし、これを解体する際には、係止部材７をパイプ材１内で押し込むことが事実上不可能であるため、ロックピン６を引き抜くことは困難であり、したがって、このようなロックピン６を、解体する必要のある仮設足場等を構成するためのパイプ材１に用いるのは不適切である。
【０００８】
一方、図４に示したロックピン１０では、係止部材１１の先端部１１ａが球面形状とされているので、前記ロックピン６に比較すれば小さな引き抜き力でこれを引き抜くことが可能であるため、解体作業を容易に行うことが可能である。しかしこれは、言い換えれば、ロックピン１０を引き抜く方向の力に対する抵抗力が小さいと言うことであり、板材４等をパイプ材１に連結する強度が低いということになる。
【０００９】
本発明は、以上のような点を考慮してなされたもので、十分な引き抜き抵抗力を発揮するとともに、解体作業も容易に行うことのできるパイプ用ロックピンの解除機構を提供することを課題とする。
【００１０】
【課題を解決するための手段】
請求項１に係る発明は、パイプ材の軸線を挟んで対向する位置に形成された二個一対のピン穴の一方に挿入することによって、対象物を該パイプ材に連結するためのロックピンであって、該ロックピンが本体部と該本体部よりも先端側の先端部とから形成され、前記先端部の一定長部分の外径が前記本体部よりも一定寸法小さく設定され、かつ前記先端部には、側方に出没自在な係止部材と、該係止部材を側方に向けて付勢する付勢部材とが備えられ、前記係止部材が、前記本体部側のストッパ面と、前記先端部側の傾斜面とを有した構成とされ、前記係止部材が前記ロックピンから突出したときに、前記ストッパ面が前記ロックピンの軸線と略直交し、かつ前記傾斜面は前記ロックピンから側方への突出寸法が前記ロックピンの先端部側から本体部側に向けて漸次拡大する構成とされ、前記ロックピンを前記パイプ材から引き抜くときに、内径が前記ロックピンの先端部の外径と略同径をなしていて前記ピン穴の他方に挿入可能な引き抜き具を、前記ロックピンの先端部にはめ込ませるように構成されていることを特徴としている。
【００１１】
請求項２に係る発明は、請求項１記載のパイプ用ロックピンの解除機構において、前記引き抜き具の外径を前記ロックピンの本体部と略同径又は小径とし、前記引き抜き具の先端が前記先端部と前記本体部との間に形成される段部を押して前記ロックピンを押し出すように構成されていることを特徴としている。
【００１２】
【発明の実施の形態】
以下、本発明に係るパイプ用ロックピンの解除機構の実施の形態の一例を、図１および図２を参照して説明する。
【００１３】
図１に示すように、ロックピン（パイプ用ロックピン）２０は、断面視円形の中空構造とされており、その先端部２０ａの一定長部分の外径寸法が、本体部２０ｂよりも一定寸法小さく設定されている。これにより、ロックピン２０は先端部２０ａと本体部２０ｂとで外径寸法の異なる段付き形状となっている。
【００１４】
ロックピン２０の先端部２０ａには、係止部材２１が備えられている。この係止部材２１は、基端部がピン２２に回動自在に支持されており、これによって先端部側がロックピン２０の先端部２０ａから出没自在となっている。係止部材２１の先端部は断面視略三角形状で、角部２２が形成されている。そして、係止部材２１がロックピン２０から突出した状態において、角部２２の一方の側の面がロックピン２０の軸線と略直交するストッパ面２３とされ、他方の側の面が、ロックピン２０からの突出寸法がロックピン２０の先端側から角部２２に向けて漸次拡大する傾斜面２４とされている。
【００１５】
係止部材２１の先端部とロックピン２０の内周面との間には、スプリング（付勢部材）２５が圧縮状態で介装されており、これによって係止部材２１がロックピン２０から突出する方向に付勢されている。
【００１６】
このようなロックピン２０でパイプ材１と板材４とを連結するには、板材４に形成されている穴５と、パイプ材１に形成されているピン穴２とにこのロックピン２０を差し込む。このとき、ロックピン２０を板材４の穴５に挿入していくと、係止部材２１の傾斜面２４が穴５の内周面にあたり、これによって係止部材２１がロックピン２０内に押し込まれるようになっている。そして、角部２２がパイプ材１のピン穴２を通過した後に、係止部材２１がスプリング２５の付勢力によって外方に突出するようになっている。すると、この後は、係止部材２１のストッパ面２３がロックピン６の軸線と略直交しているので、このロックピン２１を引き抜く方向の力に対して大きな抵抗力を発揮し、ロック状態を保持するようになっている。
【００１７】
このようにしてロックピン２０を用いてパイプ材１と板材４とを連結することによって所定形状の仮設用足場等を組み立てた後、これを解体するに際してロックピン２０を引き抜くには以下のようにして行う。
図２に示すように、ロックピン２０を引き抜くには、引き抜き具２７を用いる。この引き抜き具２７は、例えば有底円筒状で、その内径がロックピン２０の先端部２０ａの外径と略同径、外径がロックピン２０の本体部２０ｂの外径と同径またはこれよりも小さくなるよう設定されている。
このような引き抜き具２７を、パイプ材１のピン穴３側から挿入し、ロックピン２０の先端部２０ａにはめ込んでいく。すると、この引き抜き具２７によって係止部材２１がロックピン２０内に押し込まれていき、ロックピン２０によるロックが解除される。
この後、引き抜き具２７をさらに押し込めば、その先端部がロックピン２０の段部２８を押して、ロックピン２０をパイプ材１のピン穴２および板材４の穴５から押し出すことができる。もちろん、このとき、引き抜き具２７をさらに押し込まずに、ロックピン２０側を引き抜くようにしてもよい。
【００１８】
このようにしてロックピン２０を抜くことによって、パイプ材１と板材４との連結を解除し、仮設用足場等を解体することができる。
【００１９】
上述したロックピン２０では、先端部２０ａの外径が本体部２０ｂよりも小さく設定されており、かつ先端部２０ａに出没自在な係止部材２１が備えられた構成となっている。これにより、パイプ材１のピン穴２と板材４の穴５とにロックピン２０を差し込めば、これらを一体に連結することができる。このときには、係止部材２１のストッパ面２３がロックピン２０の軸線と略直交するよう形成されているので、ロックピン２０が引き抜かれる方向の力に対して十分な抵抗力を発揮して、確実にロック状態を維持することができる。
このようにしてロックピン２０でパイプ材１と板材４とを連結して所定形状の足場等を組み立てた後、これを解体するためにロックピン２０を引き抜くときには、パイプ材１のピン穴２と対向する側のピン穴３から引き抜き具２７を差し込めば、これによって係止部材２１をロックピン２０内に押し込んでロックを解除することができ、この状態でロックピン２０を引き抜けばパイプ材１と板材４との連結を外すことができる。このようにして、パイプ材１内でロックピン２０のロックを容易に解除することができるので、このロックピン２０は、解体する必要のある仮設用足場等を構成するパイプ材１に好適に用いることができる。
【００２０】
このとき、図３に示した従来のロックピン６においても、パイプ材１のピン穴３を拡径しておけば、ここに筒状の引き抜き具を差し込んで係止部材７のロックを解除することは可能であるが、このような構成とするためにはパイプ材１のピン穴２とピン穴３とで径を変えなければならない。するとピン穴２はロックピン６専用、ピン穴３は引き抜き具専用となってしまい、このパイプ材１の向きが限定されて汎用性が低いものとなってしまうという問題がある。
【００２１】
これに対し、上記ロックピン２０によれば、先端部２０ａが本体部２０ｂよりも小径とされているので、その外径が本体部２０ｂよりも小径の引き抜き具２７を用いることによって、パイプ材１のピン穴３をピン穴２よりも大径とする必要がない。したがって、ピン穴２、３は同径でよく、パイプ材１の向きも限定されることはなく汎用性を高いものとすることができる。
【００２２】
また、ロックピン２０の先端部２０ａと本体部２０ｂとの間には段部２８が形成されることになるので、この段部２８を引き抜き材２７で押すことができ、これによってロックピン２０をより一層容易に引き抜くことができる。
【００２３】
しかも、引き抜き具２７は、内径がロックピン２０の先端部２０ａと略同径、外径がロックピン２０の本体部２０ｂと同径またはこれよりも小径の筒状のものであればよく、構造が簡単であるため低コストで製作することができる。
【００２４】
なお、上記実施の形態において、板材４にロックピン２０を一体に取り付けておく構成としてもよい。このようにすれば板材４をパイプ材１にワンタッチで取り付けることができる。
また、パイプ材１に連結する対象物の一例として板材４を用いたが、言うまでもなく、対象物については例えば他のパイプ材、アングル材、あるいはＨ型、Ｔ型、Ｌ型の鋼材等であってもよく、いずれの場合においても上記構成のロックピン２０を用いることによって、上記と同様の効果を得ることができる。
さらに、パイプ材１についても、円形断面のものに限らず、矩形断面のものであってもよい。
加えて、ロックピン２０の係止部材２１をロックするための引き抜き具２７については、内径がロックピン２０の先端部２０ａと略同径、外径がロックピン２０の本体部２０ｂと同径またはこれよりも小径の筒状のものであればよく、他の部分の形状や材質等については限定するものではない。
【００２５】
【発明の効果】
以上説明したように、請求項１に係るパイプ用ロックピンの解除機構によれば、先端部の一定長部分の外径を本体部よりも一定寸法小さく設定し、かつ先端部に、側方に出没自在な係止部材と、これを側方に向けて付勢する付勢部材とを備え、さらに、係止部材を、ロックピンの軸線と略直交するストッパ面と、側方への突出寸法が漸次拡大する傾斜面とを有し、ロックピンをパイプ材から引き抜くときに、引き抜き具をロックピンの先端部にはめ込ませる構成とした。これにより、パイプ材と対象物とにロックピンを差し込めば、これらを一体に連結することができる。しかも、ロックピンを引き抜くときには、ロックピンが差し込まれているパイプのピン穴と対向する側のピン穴からパイプ状の引き抜き具を挿入してロックピンの先端部に差し込めば、係止部材をロックピン内に押し込んでロックを解除することができる。これにより、この状態でロックピンをパイプ材から引き抜いてパイプ材と対象物との連結を外すことができる。このようにして、パイプ材内でロックピンのロックを容易に解除してこれを引き抜くことができるので、このようなロックピンは、解体する必要のある仮設用の足場や構台あるいはトラス架構等を構成するパイプ材の連結に好適に用いることができる。
もちろん、ロック状態においては、パイプ材内で突出する係止部材によってロックピンを引き抜く方向の力に対して大きな抵抗力を発揮することができ、パイプ材と対象物との連結を確実なものとすることができる。
また、請求項２に係るパイプ用ロックピンの解除機構によれば、ロックピンを抜くための引き抜き具の外径をロックピンの本体部と同径またはこれよりも小径とされているので、パイプ材に形成するピン穴をわざわざ広げる必要もない。さらにロックピンの先端部と本体部との間には段部が形成されることになるので、前記パイプ材によってこの段部を押してロックピンを押し出すことも可能となる。
【図面の簡単な説明】
【図１】本発明に係るパイプ用ロックピンの一例を示す立断面図である。
【図２】同ロックピンの係止部材によるロックを解除した状態を示す立断面図である。
【図３】従来のパイプ用ロックピンの一例を示す立断面図である。
【図４】従来のパイプ用ロックピンの他の一例を示す立断面図である。
【符号の説明】
１  パイプ材
２、３  ピン穴
２０  ロックピン
２０ａ  先端部
２０ｂ  本体部
２１  係止部材
２３  ストッパ面
２４  傾斜面
２５  スプリング（付勢部材）
【図１】
0003856491.tif 000002
【図２】
0003856491.tif 000003
【図３】
0003856491.tif 000004
【図４】
0003856491.tif 000005